(57)【要約】【課題】発光素子の配置の自由度を高めつつ、簡易な構成によって低コスト化を図ることができる非透過型の太陽電池付照明装置を提供すること。【解決手段】太陽電池付照明装置は、互いに隣接する複数の太陽電池セルからなり表面および裏面を有する非透過型の集積型太陽電池と、集積型太陽電池の裏面に実装されるＬＥＤとを備え、各太陽電池セルは裏面電極を有し、ＬＥＤの正極と負極は隣接する一対の太陽電池セルの裏面電極にそれぞれ実装される。【選択図】図３
2006120387.tif 000002
【特許請求の範囲】
【請求項１】
互いに隣接する複数の太陽電池セルからなり表面および裏面を有する非透過型の集積型太陽電池と、集積型太陽電池の裏面に実装されるＬＥＤとを備え、各太陽電池セルは裏面電極を有し、ＬＥＤの正極と負極は隣接する一対の太陽電池セルの裏面電極にそれぞれ実装される太陽電池付照明装置。
【請求項２】
集積型太陽電池はその表面が透光性の絶縁性基板の裏面と対向するように前記基板の裏面上に形成され、ＬＥＤが実装される一対の太陽電池セルはそれらの間に開口部が形成され、ＬＥＤはその発光が開口部を介して絶縁性基板の表面側へ出射されるように発光部が形成されてなる請求項１に記載の太陽電池付照明装置。
【請求項３】
絶縁性基板はその表面側に８０〜１５０℃の融点を有する透光性の樹脂層を備え、樹脂層は開口部と対応する位置にレンズが形成されてなる請求項２に記載の太陽電池付照明装置。
【請求項４】
集積型太陽電池の裏面側を封止する透光性の樹脂層とその上に積層されるバックフィルムを更に備え、樹脂層は８０〜１５０℃の融点を有し、バックフィルムは可視光に対して８０％以上の反射率を有する請求項３に記載の太陽電池付照明装置。
【請求項５】
絶縁性基板の表面側に備えられる樹脂層と集積型太陽電池の裏面側を封止する樹脂層がフッ素系樹脂又はＥＶＡである請求項４に記載の太陽電池付照明装置。
【請求項６】
ＬＥＤはその発光が集積型太陽電池の裏面側へ出射されるように発光部が形成されてなる請求項１に記載の太陽電池付照明装置。
【請求項７】
集積型太陽電池の裏面側を封止する透光性の樹脂層を更に備え、樹脂層は８０〜１５０℃の融点を有し、ＬＥＤと対応する位置にレンズが形成されてなる請求項６に記載の太陽電池付照明装置。
【請求項８】
集積型太陽電池の裏面側を封止する樹脂層がフッ素系樹脂又はＥＶＡである請求項７に記載の太陽電池付照明装置。
【請求項９】
請求項４に記載の太陽電池付照明装置を製造するための方法であって、絶縁性基板の表面側に樹脂層を形成する工程と、集積型太陽電池の裏面側を樹脂層によって封止する工程が同時に行われ、それによって絶縁性基板の表面側の樹脂層にレンズが形成されることを特徴とする太陽電池付照明装置の製造方法。
【請求項１０】
請求項７に記載の太陽電池付照明装置を製造するための方法であって、集積型太陽電池の裏面側を樹脂層によって封止する工程によってレンズが形成されることを特徴とする太陽電池付照明装置の製造方法。
【発明の詳細な説明】
【技術分野】
【０００１】
この発明は、太陽電池付照明装置とその製造方法に関し、詳しくは、集積型太陽電池の裏面側にＬＥＤを実装した太陽電池付照明装置に関するものである。
【背景技術】
【０００２】
従来の太陽電池付照明装置としては次のようなものが知られている。
太陽電池の周囲に発光素子を実装して外部で配線を行い、パッケージで一体化した太陽電池付照明装置（例えば、特許文献１参照）。
【０００３】
裏面に電子回路群を有する基板と、基板の表面側に配設される太陽電池と、電子回路群を取り囲むように基板の裏面側に配設される発光素子とを備え、太陽電池、発光素子および電子回路群が基板に形成されたスルーホールを介して電気的に接続されてなる太陽電池付照明装置（例えば、特許文献２参照）。
【０００４】
多数のスリットを有する光透過型太陽電池の裏面側に複数の発光素子を分散させて配置し、光透過型太陽電池の裏面側から発光を得る太陽電池付照明装置（例えば、非特許文献１参照）。
【特許文献１】特開２０００−２１５７０４号公報
【特許文献２】特開２００１−３５１４１８号公報
【非特許文献１】シャープ株式会社ホームページ、"２００４年７月２９日ニュースリリース「光る太陽電池「Lumiwall（ルミウォール）とソーラー街路灯を新発売」"、［online］、［平成１６年８月２３日検索］、インターネット＜ＵＲＬ：http://www.sharp.co.jp/corporate/news/040729-a.html＞
【発明の開示】
【発明が解決しようとする課題】
【０００５】
太陽電池の周囲に発光素子を実装して外部で配線を行った従来の太陽電池付照明装置では、露出面の大半を占める太陽電池の受光面以外に発光素子を配設するしかなく、太陽電池の周辺部しか光らせることができない。さらに、発光素子と太陽電池の双方を固定するための筐体が必要となるため、部品点数が増えてコスト高になるばかりでなく、装置の大型化が避けられないというデメリットもある。
【０００６】
一方、太陽電池、発光素子および電子回路群が基板に形成されたスルーホールを介して電気的に接続された従来の太陽電池付照明装置では、筐体が不要となり装置の大型化は避けられるが、発光素子は電子回路群を取り囲むようにしか配設されないので、太陽電池の周辺部しか光らせることができない。
【０００７】
また、光透過型太陽電池の裏面側に発光素子を分散させて配置したものでは、裏面側から面状の発光が得られるが、太陽電池が光透過型であることからスリットの面積分だけ光電変換に寄与する面積が少なくなり、非透過型の太陽電池に対して光電変換効率の点で劣ることが避けられない。
また、スリットの形成に手間を要するため必然的に製造コストが高くなり、さらに、発光素子は、スリットを避けるようにしか配置できないので、発光素子の配置自由度に若干の制約がある。
【０００８】
この発明は以上のような事情を考慮してなされたものであり、発光素子の配置自由度を高めつつ、簡易な構成によって低コスト化を図ることができる非透過型の太陽電池付照明装置を提供するものである。
【課題を解決するための手段】
【０００９】
この発明は、互いに隣接する複数の太陽電池セルからなり表面および裏面を有する非透過型の集積型太陽電池と、集積型太陽電池の裏面に実装されるＬＥＤとを備え、各太陽電池セルは裏面電極を有し、ＬＥＤの正極と負極は隣接する一対の太陽電池セルの裏面電極にそれぞれ実装される太陽電池付照明装置を提供するものである。
【発明の効果】
【００１０】
この発明によれば、ＬＥＤの正極と負極が隣接する一対の太陽電池セルの裏面電極にそれぞれ実装されるので、ＬＥＤを配置する自由度が大幅に高まり、かつ、作製工程の簡略化により低コスト化も図られる。
つまり、この発明による太陽電池付照明装置は、集積型太陽電池を構成する複数の太陽電池セルのうち、一部の太陽電池セルの裏面電極をＬＥＤ実装用の電極として利用することにより、ＬＥＤの配置自由度を高めつつ、作製工程の簡略化を図るものである。
また、集積型太陽電池が非透過型であることから、太陽電池のほぼ全面積を光電変換に寄与させることができ、高い発電効率を得ることもできる。
【発明を実施するための最良の形態】
【００１１】
この発明による太陽電池付照明装置は、互いに隣接する複数の太陽電池セルからなり表面および裏面を有する非透過型の集積型太陽電池と、集積型太陽電池の裏面に実装されるＬＥＤとを備え、各太陽電池セルは裏面電極を有し、ＬＥＤの正極と負極は隣接する一対の太陽電池セルの裏面電極にそれぞれ実装されることを特徴とする。
【００１２】
この発明による太陽電池付照明装置において、集積型太陽電池としては、複数の太陽電池セルが直列接続された非透過型のものであればよく特に限定されない。よって各太陽電池セルは、結晶系太陽電池又は薄膜系太陽電池のいずれであっても構わない。
各太陽電池セルの裏面電極は、導電材料で形成されていればよく、その材料は特に限定されないが、例えば、銀、アルミ、銀とアルミの合金など様々な材料からなるものを用いることができる。
【００１３】
なお、この発明による太陽電池付照明装置において、ＬＥＤが実装される一対の太陽電池セルは、光電変換を行う他の太陽電池セルと電気的に分離されていることが好ましい。
というのは、太陽電池セルとＬＥＤは、いずれも整流作用をもったダイオードの一種であるため、光電変換を行っている太陽電池セルと、ＬＥＤを実装した一対の太陽電池セルとが電気的に導通した状態であると、ＬＥＤへ電圧を印加した際に、太陽電池セルの有する整流作用とＬＥＤの有する整流作用が互いに相反した状態となり、太陽電池として機能しなくなる状態が生じ得るからである。
上記構成の場合、ＬＥＤを実装した一対の太陽電池セルは、光電変換を目的とせず、もっぱらＬＥＤを実装するための電極として利用されることとなる。
【００１４】
この発明による太陽電池付照明装置において、ＬＥＤとしては、同一面に正極と負極を有するものであれば特に限定されず、赤外光を発するものから紫外光を発するものまで、様々なＬＥＤを用いることができるが、照明用途に用いるのであれば、可視光を発するものが好ましい。
例えば、ＲＧＢの３原色を発するＬＥＤを規則的に配置し、これらを同時点灯させれば白色の照明装置として利用できる。
また、別途、制御装置を備えてＲＧＢのＬＥＤの発光制御を行えばフルカラーの照明装置（表示体）としても利用できる。
【００１５】
この発明による太陽電池付照明装置において、集積型太陽電池はその表面が透光性の絶縁性基板の裏面と対向するように前記基板の裏面上に形成され、ＬＥＤが実装される一対の太陽電池セルはそれらの間に開口部が形成され、ＬＥＤはその発光が開口部を介して絶縁性基板の表面側へ出射されるように発光部が形成されていてもよい。
このような構成によれば、ＬＥＤから発せられる発光を開口部を介して集積型太陽電池の表面側へ透過させることができ、ＬＥＤの配置とその数によっては集積型太陽電池の表面側を面状に発光させることができ、ＬＥＤの配置の自由度を活かしてＬＥＤを適宜配置すれば集積型太陽電池の表面側を任意のパターンで発光させることもできる。
開口部を形成する方法としては、例えば、マスクパターンとエッチングを組合せた方法や、レーザー加工など様々な方法が挙げられる。
【００１６】
また、ＬＥＤからの発光が開口部を介して絶縁性基板の表面側へ出射される上記構成において、絶縁性基板はその表面側に８０〜１５０℃の融点を有する透光性の樹脂層を備え、樹脂層は開口部と対応する位置にレンズが形成されていてもよい。
このような構成によれば、各ＬＥＤから発せられる発光の拡散や集光を効果的に行うことができる。また、後述のように、レンズは、集積型太陽電池の裏面側を封止する樹脂と同じ８０〜１５０℃の融点を有する樹脂によって形成されるので、集積型太陽電池の裏面側を封止する工程と同時に形成でき、作製工程の簡略化によるコスト節減も図られる。
【００１７】
また、絶縁性基板の表面側に樹脂層とレンズが形成される上記構成において、この発明による太陽電池付照明装置は、集積型太陽電池の裏面側を封止する透光性の樹脂層とその上に積層されるバックフィルムを更に備え、樹脂層は８０〜１５０℃の融点を有し、バックフィルムは可視光に対して８０％以上の反射率を有していてもよい。
このような構成によれば、太陽電池付照明装置の耐候性が高められると共に、バックフィルムによる反射効果によって光電変換効率のより一層の向上が図られる。
また、裏面側を封止する樹脂層は、絶縁性基板の表面側に形成される樹脂層と同じ融点を有するので、上述のとおり集積型太陽電池の表面側にレンズを形成する工程と裏面側を封止する工程を同時に行うことができ、作製工程の簡略化によるコスト節減も図られる。
【００１８】
また、絶縁性基板の表面側に樹脂層が形成され、集積型太陽電池の裏面側が樹脂層で封止される上記構成において、絶縁性基板の表面側に備えられる樹脂層と集積型太陽電池の裏面側を封止する樹脂層はフッ素系樹脂又はＥＶＡ（エチレン−酢酸ビニル共重合体）であってもよい。
なお、ここでフッ素系樹脂とは、分子内に炭素−フッ素結合を有する熱可塑性樹脂を意味し、例えば、ポリ塩化ビニリデン（ＰＶＤＣ）、ポリテトラフルオロエチレン（ポリ四フッ化エチレン、ＰＴＦＥ）、ポリトリフルオロクロロエチレン（ポリ三フッ化塩化エチレン、ＰＴＦＣＥ）、ポリビニリデンフルオリド（ポリフッ化ビニリデン、ＰＶＤＦ）、テトラフルオロエチレン・パーフルオロアルキルビニルエーテル共重合体（ＰＦＡ）、テトラフロオロエチレン・ヘキサフルオロプロピレン共重合体（ＰＦＥＰ）などのフッ素系樹脂などが挙げられる。
【００１９】
この発明による太陽電池付照明装置において、ＬＥＤはその発光が集積型太陽電池の裏面側へ出射されるように発光部が形成されていてもよい。
このような構成によれば、集積型太陽電池の裏面側を発光させることができ、ＬＥＤの配置とその数によっては集積型太陽電池の裏面側を面状に発光させることができ、ＬＥＤの配置の自由度を活かしてＬＥＤを適宜配置すれば集積型太陽電池の裏面側を任意のパターンで発光させることもできる。
【００２０】
また、ＬＥＤの発光が集積型太陽電池の裏面側へ出射される上記構成において、この発明による太陽電池付照明装置は、集積型太陽電池の裏面側を封止する透光性の樹脂層を更に備え、樹脂層は８０〜１５０℃の融点を有し、ＬＥＤと対応する位置にレンズが形成されていてもよい。
このような構成によれば、ＬＥＤから発せられる発光の拡散や集光を効果的に行うことができる。また、レンズは、集積型太陽電池の裏面側を封止する樹脂によって形成されるので、集積型太陽電池の裏面側を封止する工程によって形成でき、作製工程の簡略化によるコスト節減も図られる。
【００２１】
また、集積型太陽電池の裏面側が樹脂層によって封止される上記構成において、集積型太陽電池の裏面側を封止する樹脂層はフッ素系樹脂又はＥＶＡであってもよい。
【００２２】
また、この発明は別の観点からみると、絶縁性基板の表面側に樹脂層およびレンズが形成され、集積型太陽電池の裏面側が樹脂層で封止されてなる上述の太陽電池付照明装置を製造するための方法であって、絶縁性基板の表面側に樹脂層を形成する工程と、集積型太陽電池の裏面側を樹脂層によって封止する工程が同時に行われ、それによって絶縁性基板の表面側の樹脂層にレンズが形成されることを特徴とする太陽電池付照明装置の製造方法を提供するものでもある。
このような製造方法によれば、集積型太陽電池の裏面側を樹脂層で封止する工程と絶縁性基板の表面側に樹脂層を形成する工程が１つの工程で行われ、それによってレンズも形成されるので製造工程の簡略化が図られ、製造コストの節減が図られる。
【００２３】
また、この発明は別の観点からみると、集積型太陽電池の裏面側が樹脂層によって封止され、この樹脂層にレンズが形成されてなる上述の太陽電池付照明装置を製造するための方法であって、集積型太陽電池の裏面側を樹脂層によって封止する工程によってレンズが形成されることを特徴とする太陽電池付照明装置の製造方法を提供するものでもある。
このような製造方法によれば、集積型太陽電池の裏面側を樹脂層で封止する工程によってレンズも形成されるので製造工程の簡略化が図られ、製造コストの節減が図られる。
【００２４】
以下、図面に示す実施例に基づいてこの発明を詳細に説明する。
【実施例】
【００２５】
実施例１
この発明の実施例１による太陽電池付照明装置について、図１〜８に基づいて説明する。図１は実施例１による太陽電池付照明装置を構成する集積型太陽電池の各段を示す斜視図、図２は図１に示される集積型太陽電池の等価回路を示す説明図、図３は実施例１による太陽電池付照明装置を構成する集積型太陽電池にＬＥＤが実装された状態を示す斜視図、図４は実施例１における集積型太陽電池に実装されたＬＥＤの等価回路を示す説明図、図５は実施例１による太陽電池付照明装置の回路構成を示す説明図、図６は実施例１においてＬＥＤが実装された集積型太陽電池の封止工程を示す説明図、図７は実施例１による太陽電池付照明装置の要部拡大断面図である。
【００２６】
図３に示されるように、実施例１による太陽電池付照明装置１００は、互いに隣接する複数の太陽電池セル１１からなり表面および裏面を有する非透過型の集積型太陽電池と１０と、集積型太陽電池１０の裏面に実装される複数のＬＥＤ２０とを備え、各太陽電池セル１１は裏面電極１２を有し、各ＬＥＤ２０の正極２１と負極２２（図７参照）は隣接する一対の太陽電池セル１１の裏面電極１２にそれぞれ実装されている。
【００２７】
図１は集積型太陽電池１０を構成する複数段のうちの１段を示している。図１に示されるように、集積型太陽電池１０の各段は透光性基板１３上（絶縁性基板）に透明電極１４、光電変換層１５、裏面電極１２が積層された構成を有している。透明電極１４、光電変換層１５、裏面電極１２はそれぞれレーザーによって短冊状に分離され、隣接する太陽電池セル１１が直列接続された構成となっている。
このような集積型太陽電池１０に太陽光が照射されると図内の矢印で示す方向に電流が流れる。図２は、このような集積型太陽電池の等価回路を示している。
【００２８】
図３および図７に示されるように、ＬＥＤ２０は集積型太陽電池１０を構成している上段１０ａ、中段１０ｂ、下段１０ｃのうち、中段１０ｂの隣接する太陽電池セル１１をまたぐように配置されている。
ＬＥＤ２０は同一面に正極２１および負極２２を有し、正極２１および負極２２は中段１０ｂの隣接する一対の太陽電池セル１１の裏面電極１２にそれぞれ実装されている。
裏面電極１２は、銀、若しくは、銀とアルミの合金で形成されるため、ＬＥＤ２０の実装にあたっては、銀ペーストや銀半田が利用できるが、この実施例では銀半田を利用して実装する。ＬＥＤ２０の発光部は正極２１および負極２２が形成された面と逆の面にあり、集積型太陽電池１０の裏側（図３の上方）へ向かって発光する。図４はこのように実装されたＬＥＤ２０の等価回路を示している。
これにより、図５に示されるような回路構成が実現され、集積型太陽電池１０の裏面上にＬＥＤ２０を自由に配置することが可能となる。
【００２９】
なお、太陽電池セル１１とＬＥＤ２０は、いずれも整流作用をもったダイオードの一種であるため、ＬＥＤ２０が実装される中段１０ｂは、バッテリー（図５参照）からＬＥＤ２０への電圧印加時に、ＬＥＤ２０の有する整流作用が上段１０ａおよび下段１０ｃの太陽電池セル１１が有する整流作用と互いに相反した状態とならないように、上段１０ａおよび下段１０ｃの太陽電池セル１１とは電気的に分離される。すなわち、中段の太陽電池セル１１は光電変換を目的としたものではなく、ＬＥＤ２０を実装するための電極として利用される。
【００３０】
図６に示されるように、ＬＥＤ２０が実装された集積型太陽電池１０は、経時劣化防止のため、裏面側にＥＶＡシート３１、ガラス板３２、ＥＶＡシート３１、レンズの型材３３が順に重ねられ、その後、ラミネータで８０〜１５０℃の加圧加熱処理を行うことにより封止され、封止工程の完了後、レンズの型材３３が取り外される。レンズの型材３３としては、レンズの形状が形成された１５０℃で変形しないフィルム状のものが用いられる。
これによって、封止工程時にＥＶＡシート３１が型材によって型押しされて変形し、図７に示されるようにＬＥＤ２０の発光部の上部に光拡散用の微小なレンズ３４が形成され、ＬＥＤ２０からの発光はレンズ３４を介して拡散され集積型太陽電池１０の裏面側へ出射される。
【００３１】
実施例２
この発明の実施例２による太陽電池付照明装置について、図８〜１０に基づいて説明する。図８は実施例２による太陽電池付照明装置を構成する集積型太陽電池にＬＥＤが実装された状態を示す斜視図、図９は実施例２による太陽電池付照明装置の要部拡大断面図、図１０は実施例２においてＬＥＤが実装された集積型太陽電池の封止工程を示す説明図である。
【００３２】
図８および図９に示されるように、実施例２による太陽電池付照明装置２００は、集積型太陽電池４０に実装される各ＬＥＤ５０の発光部が正極５１および負極５２の形成面と同一面にあり、これに伴って、各ＬＥＤ５０の発光が透光性基板４３の表面から出射されるように、ＬＥＤ５０が実装される中段４０ｂの太陽電池セル４１は、隣接する一対の太陽電池セル４１の一部に透光性基板４３に達する開口部４６が形成されている。
開口部４６は、隣接する一対の太陽電池セル４１の裏面電極４２、光電変換層４５、透明電極４４の一部をレーザー加工によってそれぞれ切り欠くことによって形成されている。それ以外の構成は実施例１の集積型太陽電池１０（図３参照）と同様である。
【００３３】
図１０に示されるように、ＬＥＤ５０が実装された集積型太陽電池４０は、裏面側にＥＶＡシート３１と、可視光に対して８０％以上の反射率を示すバックフィルム３５が順に重ねられ、表面側にはＥＶＡシート３１とレンズの型材３３が順に重られ、実施例１と同様にラミネータで８０〜１５０℃の加圧加熱処理を行うことにより封止され、封止工程の完了後、レンズの型材３３が取り外される。
これにより、封止工程時に表面側のＥＶＡシート３１が型材によって型押しされて変形し、図９に示されるように各ＬＥＤ５０の発光部の上部、すなわち開口部４６の上部に光拡散用の微小なレンズ３４が形成され、ＬＥＤ５０からの発光はレンズ３４を介して拡散され集積型太陽電池４０の表面側へ出射される。
【００３４】
なお、上述の実施例１および実施例２では隣接する一対の太陽電池セル１１，４１の裏面電極１２，４２に１つずつＬＥＤ２０，５０を実装したが、隣接する一対の太陽電池セル１１，４１の裏面電極１２，４２に複数のＬＥＤを集中して実装することも可能である。複数のＬＥＤを集中的に実装した場合、局部照明用として優れたものになる。
また、実施例１および実施例２のように、ＬＥＤ２０，５０を分散して規則的に配置した場合は、均一な面状の発光が得られ、一般の照明用として優れたものとなる。
もちろん、ＬＥＤの配置自由度を活かして任意のパターンで配置すれば、それに対応したパターンで発光させることもできる。
【図面の簡単な説明】
【００３５】
【図１】実施例１による太陽電池付照明装置を構成する集積型太陽電池の各段を示す斜視図である。
【図２】図１に示される集積型太陽電池の等価回路を示す説明図である。
【図３】実施例１による太陽電池付照明装置を構成する集積型太陽電池にＬＥＤが実装された状態を示す斜視図である。
【図４】実施例１における集積型太陽電池に実装されたＬＥＤの等価回路を示す説明図である。
【図５】実施例１による太陽電池付照明装置の回路構成を示す説明図である。
【図６】実施例１においてＬＥＤが実装された集積型太陽電池の封止工程を示す説明図である。
【図７】実施例１による太陽電池付照明装置の要部拡大断面図である。
【図８】実施例２による太陽電池付照明装置を構成する集積型太陽電池にＬＥＤが実装された状態を示す斜視図である。
【図９】実施例２のよる太陽電池付照明装置の要部拡大断面図である。
【図１０】実施例２においてＬＥＤが実装された集積型太陽電池の封止工程を示す説明図である。
【符号の説明】
【００３６】
１０，４０・・・集積型太陽電池
１０ａ・・・上段
１０ｂ，４０ｂ・・・中段
１０ｃ・・・下段
１１，４１・・・太陽電池セル
１２，４２・・・裏面電極
１３，４３・・・透光性基板
１４，４４・・・透明電極
１５，４５・・・光電変換層
２０，５０・・・ＬＥＤ
２１，５１・・・正極
２２，５２・・・負極
３１・・・ＥＶＡシート
３２・・・ガラス板
３３・・・レンズの型
３４・・・レンズ
３５・・・バックフィルム
４６・・・開口部
１００，２００・・・太陽電池付照明装置
【図１】
2006120387.tif 000003
【図２】
2006120387.tif 000004
【図３】
2006120387.tif 000005
【図４】
2006120387.tif 000006
【図５】
2006120387.tif 000007
【図６】
2006120387.tif 000008
【図７】
2006120387.tif 000009
【図８】
2006120387.tif 000010
【図９】
2006120387.tif 000011
【図１０】
2006120387.tif 000012